(57)【要約】【課題】直管型蛍光灯のホルダーに取り付け、ＬＥＤ発光素子が内部で発光する方向を調整し、使用目的に適合した使い勝手のよい直管型ＬＥＤ照明灯を提供する。【解決手段】直管型ＬＥＤ照明灯１は、ＬＥＤ発光素子４から発光された出射光を透過する直管型の照明管２と、ＬＥＤ発光素子４が取り付けられる基板５と、両側面にそれぞれ基板５を保持して照明管２に挿入される基板保持板６と、底板１６から突出する一対のピン端子７が取り付けられて照明管２の両端にそれぞれ着脱自在に嵌入される口金部３とを備え、底板１６に設けられたピン端子係合孔１１と口金取付けピン貫通孔１３との位置関係により、一対のピン端子７の取付け方向と、ＬＥＤ発光素子４が向く方向とが調整可能である。【選択図】図２
2013229151.tif 000002
【特許請求の範囲】
【請求項１】
ＬＥＤ発光素子から発光された出射光を透過する直管型の照明管と、
ＬＥＤ発光素子が取り付けられる基板と、
両側面にそれぞれ基板を保持して照明管に挿入される基板保持板と、
底板から突出する一対のピン端子が取り付けられて照明管の両端にそれぞれ着脱自在に嵌入される口金部と、を備え、
両側面の一対のピン端子が取り付く方向と、ＬＥＤ発光素子が発光する方向とが設定可能であることを特徴とする直管型ＬＥＤ照明灯。
【請求項２】
請求項１に記載の直管型ＬＥＤ照明灯であって、口金部は、一対の口金取付けピンにより基板保持板に固定され、底板は、一対のピン端子が係合されるピン端子係合孔と、口金取付けピンが貫通する口金取付けピン貫通孔とを有し、底板に設けられたピン端子係合孔と口金取付けピン貫通孔との位置関係により、一対のピン端子が取付く方向とＬＥＤ発光素子が発光する方向とが設定されることを特徴とする直管型ＬＥＤ照明灯。
【請求項３】
請求項２に記載の直管型ＬＥＤ照明灯であって、底板に設けられたピン端子係合孔に対して口金取付けピン貫通孔を所定の角度だけ回転させた位置に設け、又は、底板に設けられた口金取付けピン貫通孔に対してピン端子係合孔を所定の角度だけ回転させた位置に設け、一対のピン端子が取付く方向とＬＥＤ発光素子が発光する方向とが設定され、口金部を照明管の両端にそれぞれ嵌入する際に所望の角度位置の係合孔又は貫通孔が選択されることを特徴とする直管型ＬＥＤ照明灯。
【請求項４】
請求項２又は３に記載の直管型ＬＥＤ照明灯であって、基板保持板は、基板が取り付けられる板状部と、板状部の両端に設けられ、口金取付けピンが嵌入される口金取付け孔嵌入孔を有する口金取付けピン掴み部と、からなることを特徴とする直管型ＬＥＤ照明灯。
【請求項５】
請求項４に記載の直管型ＬＥＤ照明灯であって、基板保持板は、口金取付けピン掴み部が照明管の内面側に設けられた基板保持板掴み部に嵌入して照明管に固定されることを特徴とする直管型ＬＥＤ照明灯。
【発明の詳細な説明】
【技術分野】
【０００１】
本発明は、直管型ＬＥＤ照明灯に係り、特に、照明管の内部にＬＥＤ発光素子が内蔵され、照明管の両端にピン端子が設けられた口金部が取り付いた直管型のＬＥＤ照明灯に関する。
【背景技術】
【０００２】
従来の蛍光灯は照明管の両端部に口金部が設けられ、照明管の内部には放電し易くするためのアルゴンガスと、ごく微量な水銀が封入されている。また、照明管の内面には蛍光体が塗布されている。この従来の蛍光灯の発光原理は、まず蛍光灯内の電極に電気を流し、電子を放出する物質が塗布された電極が電圧をかけられて電子を照明管の内部に飛ばす。飛ばされた電子は蛍光灯の中にある水銀原子と衝突し紫外線を放出する。この紫外線は蛍光体に当たると可視光に変化する。このように、従来の蛍光灯は、照明管の内面に塗布された蛍光体により、照明管の断面内の全方向に可視光が拡散される。つまり、従来の蛍光灯は全方位の照射角を有している。
【０００３】
一方、ＬＥＤ照明は発光ダイオード（ＬＥＤチップ）を利用した照明であり、Ｐ型半導体とＮ型半導体とがＰＮ結合して一方向（順方向）にのみ電流が流れる。この順方向に電圧をかけるとＬＥＤチップの中を電子と正孔が移動するがその途中で電子と正孔が衝突し、その際に電子が保有しているエネルギーの一部が光のエネルギーに変換されることで発光する。このように、ＬＥＤ照明の発光する方向が限定され、その照射角は所定の方向に制限されている。
【０００４】
特許文献1には、照射光の特性を簡単に変更できるＬＥＤ照明装置が開示されている。ここでは、ＬＥＤ発光素子を搭載する基板と、基板を内蔵しかつＬＥＤ発光素子からの出射光を透過させる照明管とを設け、基板が取り付けられた口金部に対して照明管を回転自在に設けることにより、基板および照明管を相対回転可能に設ける構成が示されている。この構成により、照明管の色または厚みを周方向に変化させることで照明管からの透過光の特性を周方向で不均一にすることが可能となるという効果が生じる、と記載されている。
【先行技術文献】
【特許文献】
【０００５】
【特許文献１】特開２０１２−１５０１２号公報
【発明の概要】
【発明が解決しようとする課題】
【０００６】
ＬＥＤ照明は、従来の蛍光灯照明に対し、例えば、消費電力が削減できる、紫外線が少ない、ちらつきがなく眼に優しいなどの利点を有している。特に、消費電力が削減できる点は、省エネルギー効果、大気中のＣＯ２削減効果などが期待できる。そこで、従来の直管型蛍光灯をそのまま取り換える直管型ＬＥＤ照明灯が開発されている。つまり、従来の直管型蛍光灯をホルダーから外し、新たに直管型ＬＥＤ照明を蛍光灯ホルダーのソケットに接続して使用するという方法である。この方式により安価で簡易にＬＥＤ照明灯を設置することができる。
【０００７】
しかしながら、従来の直管型蛍光灯が全方位の照射角を有しているのに対し、直管型ＬＥＤ照明の照射角は所定の方向に制限されている。このため、従来の直管型蛍光灯のホルダーに直線型ＬＥＤ照明灯を取り付けた場合には、ＬＥＤ発光素子の特性上照射の方向性があり、所望の方向へ照射できないという問題があった。例えば、内部に蛍光灯による照明が設けられた袖看板などで、直管型蛍光灯をそのまま直線型ＬＥＤ照明灯に取り換えるとソケットに差し込む一対のピン端子に方向性があるため、所望の方向にＬＥＤ発光素子が向かず、ＬＥＤ発光素子の発光による照明の効果が得られない場合があった。
【０００８】
さらに、直線型ＬＥＤ照明灯の照射の方向性を生かして、ＬＥＤ照明灯をホルダーに取り付けた際にＬＥＤ照明灯の照射の方向を任意の方向に向けられることが望まれる。これにより、例えば、複数の直線型ＬＥＤ照明灯を並べ、それぞれの照明灯が発光する方向を異ならせることで特殊な照明効果を簡易に演出することができる。
【０００９】
本願の目的は、かかる課題を解決し、直管型蛍光灯のホルダーに取り付け、ＬＥＤ発光素子が内部で発光する方向を調整し、使用目的に適合した使い勝手のよい直管型ＬＥＤ照明灯を提供することである。
【課題を解決するための手段】
【００１０】
上記目的を達成するため、本発明に係る直管型ＬＥＤ照明灯は、ＬＥＤ発光素子から発光された出射光を透過する直管型の照明管と、ＬＥＤ発光素子が取り付けられる基板と、両側面にそれぞれ基板を保持して照明管に挿入される基板保持板と、底板から突出する一対のピン端子が取り付けられて照明管の両端にそれぞれ着脱自在に嵌入される口金部と、を備え、両側面の一対のピン端子が取り付く方向と、ＬＥＤ発光素子が発光する方向とが設定可能であることを特徴とする。
【００１１】
上記構成により、直管型ＬＥＤ照明灯は、従来の直管型蛍光灯と同様に、直管型の照明管と、照明管の両端に口金部とを有し、口金部には底板から突出する一対のピン端子が取り付けられている。この構成により、直管型ＬＥＤ照明灯は、既設の直管型蛍光灯を取り外してホルダーに取り付け、省エネなどのＬＥＤ照明灯の特徴を生かした代替品とすることができる。
【００１２】
また、ＬＥＤ発光素子が取り付けられる基板と、両側面にそれぞれ基板を保持して照明管に挿入される基板保持板と、が照明管に内蔵されるという構成により、照明管の周方向に両面に発光させることができる。これにより、例えば、袖看板などで看板の裏表に発光させることが可能になり、直管型ＬＥＤ照明灯による照明の効果を発揮させることができる。
【００１３】
また、口金部を照明管の両端にそれぞれ着脱自在に嵌入させる構造としたことで、直管型ＬＥＤ照明灯の特徴である発光の方向性を生かし、一対のピン端子が取り付く方向と、ＬＥＤ発光素子が発光する方向とを調整可能に設定し、使用目的に適合した使い勝手の良い照明灯とすることができる。
【００１４】
また、直管型ＬＥＤ照明灯は、口金部が、一対の口金取付けピンにより基板保持板に固定され、底板が、一対のピン端子が係合されるピン端子係合孔と、口金取付けピンが貫通する口金取付けピン貫通孔とを有し、底板に設けられたピン端子係合孔と口金取付けピン貫通孔との位置関係により、一対のピン端子が取付く方向とＬＥＤ発光素子が発光する方向とが設定されることが好ましい。これにより、口金部の底板にピン端子係合孔と口金取付けピン貫通孔とを設けることで一対のピン端子が取り付く方向とＬＥＤ発光素子が発光する方向とが設定され、ピン端子係合孔と口金取付けピン貫通孔との位置や個数により使用目的に適合した使い勝手の良い照明灯とすることができる。
【００１５】
また、直管型ＬＥＤ照明灯は、底板に設けられたピン端子係合孔に対して口金取付けピン貫通孔を所定の角度だけ回転させた位置に設け、又は、底板に設けられた口金取付けピン貫通孔に対してピン端子係合孔を所定の角度だけ回転させた位置に設け、一対のピン端子が取付く方向とＬＥＤ発光素子が発光する方向とが設定され、口金部を照明管の両端にそれぞれ嵌入する際に所望の角度位置の係合孔又は貫通孔が選択されることが好ましい。これにより、円形の口金部の底板に所定の角度を設定してピン端子係合孔及び口金取付けピン貫通孔を設けることで使用目的に適合した使い勝手の良い照明灯とすることができる。
【００１６】
また、直管型ＬＥＤ照明灯は，基板保持板が、基板が取り付けられる板状部と、板状部の両端に設けられ、口金取付けピンが嵌入される口金取付け孔嵌入孔を有する口金取付けピン掴み部と、からなることが好ましい。これにより、基板保持板の板状部の両面に基板を介してＬＥＤ発光素子を両面に取り付けることができる。また、基板保持板の口金取付けピン掴み部により、基板保持板に対する口金部の位置関係を固定し、ピン端子係合孔と口金取付けピン貫通孔との位置や個数により使用目的に適合した使い勝手の良い照明灯とすることができる。
【００１７】
さらに、直管型ＬＥＤ照明灯は，基板保持板が、口金取付けピン掴み部が照明管の内面側に設けられた基板保持板掴み部に嵌入して照明管に固定されることが好ましい。これにより、照明管に対する基板保持板の位置関係が固定され、照明管と口金部との位置関係を固定することができる。
【発明の効果】
【００１８】
以上のように、本発明に係る直管型ＬＥＤ照明灯によれば、直管型蛍光灯のホルダーに取り付けて内部で発光するＬＥＤ発光素子が向く方向を調整し、使用目的に適合した使い勝手のよい直管型ＬＥＤ照明灯を提供することができる。
【図面の簡単な説明】
【００１９】
【図１】本発明に係る直管型ＬＥＤ照明灯の１つの実施形態の概略構成を示す長手方向の断面図である。
【図２】図１の直管型ＬＥＤ照明灯の内部構成を示す分解斜視図である。
【図３】照明管の内部構成を示す図１のＡ−Ａ断面図である。
【図４】口金部の底板の構成を示す図１のＢ−Ｂ断面図、及びＬＥＤ発光素子の方向とピン端子の方向との関係についての説明図である。
【発明を実施するための形態】
【００２０】
以下に、図面を用いて本発明に係る直管型ＬＥＤ照明灯の実施形態につき、詳細に説明する。図１に、本発明に係る直管型ＬＥＤ照明灯１の１つの実施形態の概略構成を長手方向の断面図で示す。また、図２に、図１の直管型ＬＥＤ照明灯１の内部の構成を分解された斜視図で示す。
【００２１】
（直管型ＬＥＤ照明灯の構成）
図１及び図２に示すように、本発明に係る直管型ＬＥＤ照明灯１は、照明管２及び口金部３から構成される。照明管２は、ＬＥＤ発光素子４から発光された出射光を透過する透過性の樹脂又はガラスからなる。この照明管２は、照明灯本体又はチューブとも称される場合があり、更にガラス製の場合にはガラス管と称される場合がある。照明管２には、例えば素材や仕様により、透明チューブ、線状チューブ、乳白チューブなどがあり、ＬＥＤ照明灯１の設置環境に合わせて選択される。すなわち、線状チューブとは、ＬＥＤ照明灯１の軸方向、又は円周方向に細かな凸凹を設けたチューブである。このチューブの表面の凸凹により照射光が拡散或いは乱反射し、ＬＥＤ照明の拡散範囲を広げる効果が生じる。また、乳白チューブとは、チューブの表面に乳白色の顔料を施したチューブである。このチューブの表面へ乳白色の顔料を施すことにより照射光が拡散或いは乱反射し、ＬＥＤ照明の拡散範囲を広げる効果が生じる。
【００２２】
口金部３は、照明管２の両端にそれぞれ着脱自在に嵌入される底板１６を有する円筒状の蓋であり、キャップとも称される。そして、底板１６から突出する一対のピン端子７が両端の口金部３に取り付けられる。従って、外観上は従来の直管型の蛍光灯と同様な構造となり、従来の蛍光灯を蛍光灯ホルダーから取り外して、本直管型ＬＥＤ照明灯１に交換し、蛍光灯ホルダーのソケットに接続することが可能になる。
【００２３】
図２に示すように、一対のピン端子７は口金部３の底板１６に設けられたピン端子係合孔１１に係合される。すなわち、図２のピン端子７はピン端子係合孔１１にねじ込まれ、口金部３の裏面にピン端子固定基板８がワッシャとして取り付けられ、ピン端子７の位置が固定される。また、口金部３の底板１６は、ピン端子係合孔１１とともに口金取付けピン１０が貫通する口金取付けピン貫通孔１３を有する。図２では、ピン端子係合孔１１は、口金部３の底板１６で２箇所に設けられている。一方、口金取付けピン貫通孔１３は、口金部３の底板１６で４箇所に設けられ、一対の貫通孔１３ａと、それらの貫通孔１３ａ同士を結ぶ線と略９０度に直交する位置に設けられた一対の貫通孔１３ｂとからなる。
【００２４】
図２に示すように、基板保持板６は両側面に基板５が取り付けられる板状部１８と、板状部１８の両端に設けられて口金取付けピン１０が嵌入される口金取付けピン掴み部１４とから構成される。基板保持板６の板状部１８の両面には、基板５を介してＬＥＤ発光素子４が両面に取り付く。これにより、例えば袖看板などで看板の裏表に発光させることが可能になり、直管型ＬＥＤ照明灯１による照明の効果を発揮させることができる。
【００２５】
図１に示すように、ＬＥＤ発光素子４は所定の間隔をあけて照明管２の全体に配置されるが、この配置パターンに限らず、直管型ＬＥＤ照明灯１の照明効果により適宜設計される。また、基板保持板６の口金取付けピン掴み部１４により、基板保持板６に対する口金部３の位置関係が固定される。これにより、ピン端子係合孔１１と口金取付けピン貫通孔１３との位置や個数により使用目的に適合した使い勝手の良い照明灯とすることができる。また、基板５の口金部３側の両端部には接続端子９が取り付けられ、ピン端子固定基板８と結線される。この結線により、蛍光灯ホルダーのソケットに接続したピン端子７がＬＥＤ発光素子４と電気的に接続される。
【００２６】
図３に、照明管２の内部構成を図１のＡ−Ａ断面図で示す。基板保持板６は、口金取付けピン掴み部１４が照明管２の内側に設けられた基板保持板掴み部１５に嵌入されることで照明管２に固定される。このように、基板保持板６は、口金取付け孔嵌入孔１７を有する口金取付けピン掴み部１４により口金部３との位置関係が規定され、基板保持板掴み部１５により照明管２との位置関係が規定される。そして、これらの構造により照明管２とその両端部に嵌入される口金部３との位置関係が規定される。
【００２７】
（ピン端子係合孔と口金取付けピン貫通孔との位置関係）
図４（ａ）に、口金部３の底板１６の構成を図１のＢ−Ｂ断面で示す。また、図４（ｂ）及び図４（ｃ）に、ＬＥＤ発光素子４が発光すると、ピン端子７ａ，７ｂが取り付く方向と、の関係について示す。なお、「一対のピン端子７ａ，７ｂが取り付く方向」とは、図４（ａ）上で２個のピン端子７ａのそれぞれの断面中心点を結ぶ直線の方向、又は２個のピン端子７ｂのそれぞれの断面中心点を結ぶ直線の方向をいう。また、「ＬＥＤ発光素子４が発光する方向」とは、基板保持板６の両側面に取り付けられた基板５に設けられたＬＥＤ発光素子４が向けられた方向をいう。
【００２８】
底板１６に設けられたピン端子係合孔１１に対して口金取付けピン貫通孔１３を所定の角度だけ回転させた位置に設け、又は、底板１６に設けられた口金取付けピン貫通孔１３に対してピン端子係合孔１１を所定の角度だけ回転させた位置に設けることで一対のピン端子７が取付く方向とＬＥＤ発光素子が発光する方向とが設定される。そして、口金部３を照明管２の両端にそれぞれ嵌入する際に、複数の係合孔１１又は貫通孔１３から所望の角度位置の係合孔１１又は貫通孔１３が選択される。以下、図４（ｂ）及び図４（ｃ）を用いて躯体的に説明する。
【００２９】
図４（ｂ）に示すように、口金取付けピン貫通孔１３に対してピン端子係合孔１１ａ，１１ｂを所定の角度だけ回転させた位置に設けられる。すなわち、口金取付けピン貫通孔１３の位置が決まると基板５の位置が決まる。基板５の位置が決まると、基板保持板６の方向が決まり、ＬＥＤ発光素４が発光する方向が設定される。このとき、ピン端子７をピン端子係合孔１１ａに係合させると、一対のピン端子７が向く方向とＬＥＤ発光素子４が向く方向とは略直交する。一方、ピン端子７をピン端子係合孔１１ｂに係合させると、一対のピン端子７が向く方向とＬＥＤ発光素子４が向く方向とは略並行する。なお、ピン端子係合孔１１ａとピン端子係合孔１１ｂとの回転角度は、図４（ｂ）のように略９０度の回転角度に限らず、例えば略４５度，略６０度，略１３５度などの任意の回転角度であっても良い。
【００３０】
図４（ｃ）には、ピン端子係合孔１１に対して口金取付けピン貫通孔１３ａ，１３ｂを所定の角度だけ回転させた位置に設けられる。すなわち、ピン端子係合孔１１の位置が設定されると一対のピン端子７が向く方向が決まる。このとき、口金取付けピン１０を口金取付けピン貫通孔１３ａに貫通させると、一対のピン端子７が向く方向とＬＥＤ発光素子４が向く方向とは略並行する。一方、口金取付けピン１０を口金取付けピン貫通孔１３ｂに貫通させると、させると、一対のピン端子７が向く方向とＬＥＤ発光素子４が向く方向とは略直交する。なお、ピン端子係合孔１１ａとピン端子係合孔１１ｂとの回転角度は、図４（ｃ）のように略９０度の回転角度に限らず、例えば略４５度，略６０度，略１３５度などの任意の回転角度であっても良い。
【００３１】
上述したように、ピン端子係合孔１１又は口金取付けピン貫通孔１３に任意の回転角度を設定することにより、例えば、複数の直線型ＬＥＤ照明灯１を並べ、それぞれの照明灯２が発光する方向を異ならせることで特殊な照明効果を簡易に演出することができる。
【符号の説明】
【００３２】
１  直管型ＬＥＤ照明灯、２  照明管、３  口金部、４  ＬＥＤ発光素子、５  基板、６  基板保持板、７  ピン端子，７ａ  第１ピン端子，７ｂ  第２ピン端子、８  ピン端子固定基板、９  接続端子、１０  口金取付けピン、１１  ピン端子係合孔，１１ａ  第１ピン端子係合孔，１１ｂ  第２ピン端子係合孔、１２  ピン端子貫通孔、１３  口金取付けピン貫通孔，１３ａ  第１口金取付けピン貫通孔，１３ｂ  第２口金取付けピン貫通孔、１４  口金取付けピン掴み部、１５  基板保持板掴み部、１６  底板、１７  口金取付け孔嵌入孔、１８  板状部。
【図１】
2013229151.tif 000003
【図２】
2013229151.tif 000004
【図３】
2013229151.tif 000005
【図４】
2013229151.tif 000006